(57)【特許請求の範囲】
【請求項１】
複数の拠点それぞれに形成され、それぞれがＩＰ電話端末を有する拠点内ＩＰ通信網と、
前記複数の拠点内ＩＰ通信網を相互に接続する接続用通信網と、
前記複数の拠点内ＩＰ通信網それぞれの中に設けられ、前記ＩＰ電話端末が送受信する音声パケットを中継する音声パケット中継装置と、
前記ＩＰ電話端末が送受信する音声パケットをいずれの前記音声パケット中継装置が中継するか選択する分散制御装置と、
を備え、
前記分散制御装置は、選択した前記音声パケット中継装置に対して、発信元及び発信先となる前記ＩＰ電話端末のＩＰアドレスを送信し、
前記ＩＰ電話端末のＩＰアドレスを受信した前記音声パケット中継装置は、受信した２つのＩＰアドレスを用いて、発信元及び発信先となる前記ＩＰ電話端末を、前記分散制御装置を介さずに中継し、
前記複数の音声パケット中継装置それぞれは、当該音声パケット中継装置の音声パケット中継能力の余力を示す余力情報を前記分散制御装置に送信し、
前記分散制御装置は、音声パケットを中継する前記音声パケット中継装置として、受信した前記余力情報が余力があることを示している前記音声パケット中継装置を選択し、
前記分散制御装置は、音声パケットを中継する前記音声パケット中継装置として、当該音声パケットを送受信する前記ＩＰ電話端末と同一の前記拠点内ＩＰ通信網に設けられた前記音声パケット中継装置を優先して選択し、
前記分散制御装置は、音声パケットを送受信する前記ＩＰ電話端末と同一の前記拠点内ＩＰ通信網に設けられた前記音声パケット中継装置の前記余力情報が、当該音声パケット中継装置の余力がないことを示しているとき、音声パケットを中継する前記音声パケット中継装置として、他の前記拠点内ＩＰ通信網内の前記音声パケット中継装置を選択する通話システム。
【請求項２】
請求項１に記載の通話システムにおいて、
前記複数の拠点内ＩＰ通信網それぞれに設けられ、当該拠点内ＩＰ通信網と公衆通信網を接続するゲートウェイをさらに備える通話システム。
【発明の詳細な説明】
【技術分野】
【０００１】
本発明は、ＩＰ電話を用いた通話システム、分散制御装置、音声パケット中継装置、音声パケット中継方法、音声パケット中継装置の制御方法、及びプログラムに関する。
【背景技術】
【０００２】
音声ネットワークシステムをＩＰネットワークで構成した通話システムにおいて、ＩＰ電話端末による通話を制御する制御装置は、データセンタで管理されることが多い。この制御装置は、ＩＰ電話端末が送受信する音声パケットを中継する機能も有している（例えば特許文献１及び２）。このため、法人の各拠点のＩＰ電話端末が送受信するすべての音声パケットは、各拠点と管理装置を接続する通信回線を必ず往路と復路それぞれで通っていた。
【特許文献１】特開２００６−１５７０７８号公報
【特許文献２】特開２００５−１８４３５１号公報
【発明の開示】
【発明が解決しようとする課題】
【０００３】
上記したＩＰネットワークによる通話システムは、各拠点のＩＰ電話端末が送受信する音声パケットが、各拠点と管理装置を接続する通信回線を必ず通っていた。このため、この通信回線のトラフィックが増大して通信容量が不足する可能性が出ていた。
【０００４】
本発明は上記事情に鑑みてなされたものであり、その目的とするところは、各拠点と管理装置を接続する通信回線のトラフィックが増大することを抑制できる通話システム、分散制御装置、音声パケット中継装置、音声パケット中継方法、音声パケット中継装置の制御方法、及びプログラムを提供することにある。
【課題を解決するための手段】
【０００５】
本発明によれば、複数の拠点それぞれに形成され、それぞれがＩＰ電話端末を有する拠点内ＩＰ通信網と、
前記複数の拠点内ＩＰ通信網を相互に接続する接続用通信網と、
前記ＩＰ電話端末が送受信する音声パケットを中継する音声パケット中継装置と、
前記複数の音声パケット中継装置に接続可能であり、前記ＩＰ電話端末が送受信する音声パケットをいずれの前記音声パケット中継装置が中継するか選択する分散制御装置と、
を備える通話システムが提供される。
【０００６】
本発明によれば、ＩＰ電話端末が送受信する音声パケットを中継する複数の音声パケット中継装置を制御する分散制御装置であって、
複数の拠点それぞれに形成された拠点内ＩＰ通信網それぞれの中に前記音声パケット中継装置は位置しており、
前記複数の拠点内ＩＰ通信網は、接続用通信網を介して相互に接続しており、
前記ＩＰ電話端末は、いずれかの前記拠点内ＩＰ通信網の中に位置しており、
前記複数の音声パケット中継装置に接続し、前記ＩＰ電話端末が送受信する音声パケットをいずれの前記音声パケット中継装置が中継するか選択する制御部を備える分散制御装置が提供される。
【０００７】
本発明によれば、複数の拠点それぞれに形成された拠点内ＩＰ通信網それぞれの中に設けられ、いずれかの前記拠点内ＩＰ通信網内のＩＰ電話端末が送受信する音声パケットを中継する音声パケット中継装置であって、
当該音声パケット中継装置を制御する分散制御装置に、当該音声パケット中継装置の音声パケット中継能力の余力を示す余力情報を、通信網を介して送信する余力情報送信部と、
通信網を介して前記分散制御装置から受信する指示情報に従って、前記ＩＰ電話端末が送受信する音声パケットを中継する中継処理部と、
を備える音声パケット中継装置が提供される。
【０００８】
なお、以上の構成要素の任意の組合せ、本発明の表現を方法及び制御方法、装置、システム、記録媒体、コンピュータプログラムなどの間で変換したものもまた、本発明の態様として有効である。
【発明の効果】
【０００９】
本発明によれば、音声パケット中継装置と分散制御装置を相互に分離して、音声パケット中継装置を複数の拠点内ＩＰ通信網それぞれに設けたため、拠点内ＩＰ通信網と分散制御装置とを接続する通信回線のトラフィックが増大することを抑制できる。
【発明を実施するための最良の形態】
【００１０】
以下、本発明の実施の形態について、図面を用いて説明する。尚、すべての図面において、同様な構成要素には同様の符号を付し、適宜説明を省略する。
【００１１】
図１は、本実施の形態における通話システムの構成を示すブロック図である。この通話システムは、データセンタ内通信網３０、複数の拠点それぞれに形成された拠点内ＩＰ通信網８０、並びに接続用通信網２０を有する。接続用通信網２０は、データセンタ内通信網３０と通信回線２１を介して接続しており、また複数の拠点内ＩＰ通信網８０それぞれと通信回線２２を介して接続している。
【００１２】
複数の拠点内ＩＰ通信網８０それぞれは、複数のＩＰ電話端末８２、及び音声パケット中継装置２００を有している。音声パケット中継装置２００は、いずれかのＩＰ電話端末８２が送受信する音声パケットを中継する。
【００１３】
データセンタ内通信網３０は、分散制御装置１００を有している。分散制御装置１００は、ＩＰ電話による通話を管理する機能を有しており、ＩＰ電話端末８２が送受信する音声パケットをいずれの音声パケット中継装置２００が中継するか制御する。
【００１４】
このように、本実施形態では、音声パケットを中継する音声パケット中継装置２００と、ＩＰ電話による通話を管理する分散制御装置１００を相互に分離し、音声パケット中継装置２００を複数の拠点内ＩＰ通信網８０それぞれ内に設けている。このため、ＩＰ電話端末８２が送受信する音声パケットは、接続用通信網２０とデータセンタ内通信網３０を接続する通信回線２１を通らない。従って、通信回線２１のトラフィックが増大することを抑制できる。以下、詳細に説明する。
【００１５】
データセンタ内通信網３０は、さらにルーター４０を有する。ルーター４０は、データセンタ内通信網３０を公衆ＩＰ通信網（例えばインターネット）６０に接続する。
【００１６】
拠点内ＩＰ通信網８０は、さらに複数のコンピュータ８４及びゲートウェイ８６を有している。それぞれのコンピュータ８４にはＩＰアドレスが割り振られている。このＩＰアドレスは、いずれかのＩＰ電話端末８２のＩＰアドレスに対応付けられて分散制御装置１００で管理されている。そして、各拠点に所属する人には、それぞれＩＰ電話端末８２及びコンピュータ８４が一台ずつ割り振られている。このため、ＩＰ電話端末８２の代わりにコンピュータ８４からＩＰ電話の発呼を行うことができる。
【００１７】
ゲートウェイ８６は、拠点内ＩＰ通信網８０を公衆ＩＰ通信網６０に接続する。公衆ＩＰ通信網６０は、携帯通信網６２を介して携帯通信端末６４に接続することができる。このため、ＩＰ電話端末８２は、拠点内ＩＰ通信網８０、ゲートウェイ８６、公衆ＩＰ通信網６０、及び携帯通信網６２を介して携帯通信端末６４に接続することができる。
【００１８】
また音声パケット中継装置２００は、当該音声パケット中継装置２００の音声パケット中継能力の余力を示す余力情報を分散制御装置１００に送信する。分散制御装置１００は、複数の音声パケット中継装置２００から送信されてきた余力情報に基づいて、新たに通話を開始するＩＰ電話端末８２が送受信する音声パケットをいずれの音声パケット中継装置２００が中継するか、制御する。
【００１９】
図２は、分散制御装置１００の機能構成を示すブロック図である。分散制御装置１００は、余力情報処理部１２０、余力情報記憶部１３０、アドレス記憶部１４０、アドレス読出部１６０、及び制御部１８０を有する。余力情報処理部１２０は、音声パケット中継装置２００から送信されてきた余力情報を受信し、余力情報記憶部１３０に記憶させる。アドレス記憶部１４０は、ＩＰ電話端末８２のＩＰアドレスとコンピュータ８４のＩＰアドレスを対応づけて記憶している。
【００２０】
アドレス読出部１６０は、発信元となるＩＰ電話端末及び発信先となるＩＰ電話端末それぞれのＩＰアドレスを、アドレス記憶部１４０から読み出す。制御部１８０は、余力情報記憶部１３０が記憶している余力情報に基づいて、余力がある音声パケット中継装置２００を選択する。具体的には、制御部１８０は、パケット中継能力に余力があることを余力情報が示している音声パケット中継装置を選択する。また制御部１８０は、選択した音声パケット中継装置２００に、発信元となるＩＰ電話端末及び発信先となるＩＰ電話端末それぞれのＩＰアドレスを送信する。なお、アドレス読出部１６０及び制御部１８０が行う処理の詳細は、フローチャートを用いて後述する。また余力情報記憶部１３０及びアドレス記憶部１４０のデータ構成の詳細は、テーブルを用いて後述する。
【００２１】
図３は、余力情報記憶部１３０が記憶しているデータの構成を示すテーブルである。余力情報記憶部１３０は、複数の音声パケット中継装置２００を相互に識別する識別ＩＤに対応付けて、音声パケット中継装置２００のＩＰアドレス、音声パケット中継装置２００が中継できるＩＰ回線の数（パケット中継能力の一例であり、図３においては所有回線と記載）、音声パケット中継装置２００が使用しているＩＰ回線の数、及び空き回線の数を記憶している。音声パケット中継装置２００から送信される余力情報は、これらをすべて含んでいてもよい。また余力情報記憶部１３０があらかじめ音声パケット中継装置２００それぞれのＩＰ回線の数を記憶している場合、余力情報は、使用しているＩＰ回線の数及び空き回線の数の少なくとも一方を含んでいればよい。また後述するフローチャートに示すように、通話が終了したことを示す通話終了情報を、余力情報として送信してもよい。
【００２２】
図４は、アドレス記憶部１４０が記憶しているデータの構成を示すテーブルである。アドレス記憶部１４０は、コンピュータ８４のＩＰアドレス（図４ではコンピュータＩＰと記載）、ＩＰ電話端末８２のＩＰアドレス（図４では電話ＩＰと記載）、及びＩＰ電話端末８２に割り振られた電話番号を、当該コンピュータ８４及びＩＰ電話端末８２の使用者を識別する情報に対応付けて記憶している。使用者を識別する情報は、例えば使用者の名前である。これらの情報は、拠点内ＩＰ通信網８０それぞれごとに分けて記憶されている。そしてアドレス記憶部１４０は、拠点内ＩＰ通信網８０それぞれごとに、当該拠点内ＩＰ通信網８０に属する音声パケット中継装置２００の識別ＩＤ及びＩＰアドレスを記憶している。
【００２３】
なお、アドレス記憶部１４０は、外部の電話端末と通話するときに用いられるＩＰアドレスも記憶している。
【００２４】
図５は、音声パケット中継装置２００の機能構成を示すブロック図である。音声パケット中継装置２００は、複数の中継処理部２２０、及び制御部２４０を有する。中継処理部２２０は、ＩＰ電話端末８２が送受信する音声パケットを中継する処理を行う。例えば２つのＩＰ電話端末８２が通話する場合、中継処理部２２０は、これら２つのＩＰ電話端末８２のＩＰアドレスを用いて音声パケットを中継することにより、ＩＰ電話端末８２相互間を通話させる。また一つのＩＰ電話端末８２と外部の電話端末が通話する場合、中継処理部２２０は、ＩＰ電話端末８２のＩＰアドレスと、外部の電話端末に接続するためのＩＰアドレスを用いて音声パケットを中継することにより、これら電話端末間で通話させる。なお中継処理部２２０は、それぞれが一つの回線に相当している。
【００２５】
制御部２４０は、いずれの中継処理部２２０が中継処理を行っているかを管理する処理を行う。また制御部２４０は、分散制御装置１００から、発信元のＩＰアドレス及び発信先のＩＰアドレスを受信する。そして制御部２４０は、受信した２つのＩＰアドレスを、中継処理を行っていない中継処理部２２０に出力し、出力先の中継処理部２２０に音声パケットの中継処理を開始させる。また制御部２４０は、分散制御装置１００のＩＰアドレスを記憶している。制御部２４０は余力情報送信部の一例であり、音声パケット中継装置２００の余力情報を生成して、記憶しているＩＰアドレスを用いて生成した余力情報を分散制御装置１００に送信する。
【００２６】
なお、中継処理部２２０及び制御部２４０が行う処理の詳細は、フローチャートを用いて後述する。
【００２７】
図６は、分散制御装置１００及び音声パケット中継装置２００が行う処理を説明するフローチャートである。本フローチャートは、ＩＰ電話端末８２同士が通話を行うときの処理を示している。まずＩＰ電話端末８２及びコンピュータ８４の使用者は、発信先の電話番号を入力する。この入力は、例えば電話帳データに含まれるデータを選択することにより行われるが、ＩＰ電話端末８２で行われてもよいし、コンピュータ８４で行われてもよい。ＩＰ電話端末８２又はコンピュータ８４は、発信先の電話番号が入力されると、入力された電話番号並びに当該ＩＰ電話端末８２又はコンピュータ８４のＩＰアドレスを、電話発信要求情報として分散制御装置１００に送信する。
【００２８】
分散制御装置１００のアドレス読出部１６０は、発信要求情報を受信する（Ｓ２０）と、発信情報に含まれる電話番号に対応するＩＰアドレスを、アドレス記憶部１４０から読み出し、発信先のＩＰアドレスとして認識する。またアドレス読出部１６０は、発信情報に含まれるＩＰアドレスをアドレス記憶部１４０に照会し、ＩＰ電話端末８２のＩＰアドレスであるかコンピュータ８４のＩＰアドレスであるかを認識する。ＩＰ電話端末８２のＩＰアドレスと認識したとき、アドレス読出部１６０は、発信情報に含まれるＩＰアドレスを発信元のＩＰアドレスと認識する。コンピュータ８４のＩＰアドレスと認識したとき、アドレス読出部１６０は、発信情報に含まれるＩＰアドレスに対応するＩＰ電話端末８２のＩＰアドレスを、アドレス記憶部１４０から読み出し、読み出したＩＰアドレスを発信元のＩＰアドレスと認識する（Ｓ４０）。そしてアドレス読出部１６０は、発信元及び発信先それぞれのＩＰアドレスを、制御部１８０に出力する。
【００２９】
制御部１８０は、発信元及び発信先それぞれのＩＰアドレスが入力されると、今回の通話の音声パケットを中継する音声パケット中継装置２００を選択する（Ｓ６０）。制御部１８０は、選択した音声パケット中継装置２００のＩＰアドレスをアドレス記憶部１４０から読み出す。そして制御部１８０は、読み出したＩＰアドレスを用いて、選択した音声パケット中継装置２００に、発信元及び発信先それぞれのＩＰアドレスを指示情報として送信する（Ｓ８０）。そして制御部１８０は、余力情報記憶部１３０が記憶しているデータのうち、ＩＰアドレスを送信した音声パケット中継装置２００に対応するデータを更新する。詳細には、空回線数を一つ減らし、かつ使用中の回線数を一つ増やす処理を行う（Ｓ１００）。
【００３０】
指示情報であるＩＰアドレスを受信した音声パケット中継装置２００の制御部２４０は、受信した２つのＩＰアドレスを、中継処理を行っていない中継処理部２２０に出力する。２つのＩＰアドレスが入力された中継処理部２２０は、入力された２つのＩＰアドレスを用いて音声パケットを中継することにより、ＩＰ電話端末８２相互間を通話させる。（Ｓ１２０）。中継される音声パケットは、データセンタ内通信網３０を経由しないため、接続用通信網２０とデータセンタ内通信網３０を接続する通信回線２１のトラフィックを増大させない。
【００３１】
特に、通話を行う２つのＩＰ電話端末８２と、通話時に音声パケットの中継を行う音声パケット中継装置２００が、すべて同一の拠点内ＩＰ通信網８０に属する場合、音声パケットは接続用通信網２０を経由しない。従って、接続用通信網２０のトラフィックが増大することも抑制できる。
【００３２】
また、通話を行う２つのＩＰ電話端末８２と、通話時に音声パケットの中継を行う音声パケット中継装置２００のいずれか一つが他とは異なる拠点内ＩＰ通信網８０に属している場合においても、音声パケットは、接続用通信網２０を一回通ればよい。従って、接続用通信網２０のトラフィックが増大することも抑制できる。
【００３３】
そして通話、すなわち音声パケットの中継処理が終了する（Ｓ１４０：Ｙｅｓ）と、音声パケット中継装置２００の制御部２４０は、通話が終了した旨を示す通信終了情報を、音声パケット中継装置２００の識別ＩＤとともに分散制御装置１００に送信する（１６０）。
【００３４】
分散制御装置１００の余力情報処理部１２０は、音声パケット中継装置２００から、通話終了情報及び当該音声パケット中継装置２００の識別ＩＤを受信すると、余力情報記憶部１３０が記憶しているデータのうち、受信した識別ＩＤに対応するデータを更新する。詳細には、空回線数を一つ増やし、かつ使用中の回線数を一つ減らす処理を行う（Ｓ１８０）。
【００３５】
図７は、図６における音声パケット中継装置２００の選択処理（Ｓ６０）の詳細を説明するフローチャートである。まず制御部１８０は、発信元のＩＰ電話端末８２のＩＰアドレスをアドレス記憶部１４０に照会することにより、発信元のＩＰ電話端末８２と同一の拠点内ＩＰ通信網８０に属する音声パケット中継装置２００の識別ＩＤを認識する（Ｓ３００）。そして制御部１８０は、認識した識別ＩＤに対応する空回線数を余力情報記憶部１３０から読み出す。読み出した空回線数が０でない場合、認識した識別ＩＤに対応する音声パケット中継装置２００に空回線があると判断し（Ｓ３２０：Ｙｅｓ）、この音声パケット中継装置２００を選択する（Ｓ３４０）。
【００３６】
また読み出した空回線数が０であった場合、認識した識別ＩＤに対応する音声パケット中継装置２００に空回線がないと判断する（Ｓ３２０：Ｎｏ）。そして制御部１８０は、発信先のＩＰ電話端末８２のＩＰアドレスをアドレス記憶部１４０に照会することにより、発信先のＩＰ電話端末８２と同一の拠点内ＩＰ通信網８０に属する音声パケット中継装置２００の識別ＩＤを認識する（Ｓ３６０）。そして制御部１８０は、認識した識別ＩＤに対応する空回線数を余力情報記憶部１３０から読み出す。読み出した空回線数が０でない場合、認識した識別ＩＤに対応する音声パケット中継装置２００に空回線があると判断し（Ｓ３８０：Ｙｅｓ）、この音声パケット中継装置２００を選択する（Ｓ４００）。読み出した空回線数が０であった場合、認識した識別ＩＤに対応する音声パケット中継装置２００に空回線がないと判断する（Ｓ３８０：Ｎｏ）。そして制御部１８０は、余力情報記憶部１３０が記憶している余力情報に基づいて、空回線数が０でない他の音声パケット中継装置２００を選択する（Ｓ４２０）。
【００３７】
このように、分散制御装置１００は、発信元となるＩＰ電話端末８２及び発信先となるＩＰ電話端末８２のいずれかと同一の拠点内ＩＰ通信網８０に属する音声パケット中継装置２００を優先して選択する。このため、接続用通信網２０のトラフィックが増大することを抑制できる。また、これら２つの音声パケット中継装置２００の空回線数が０である場合、他の音声パケット中継装置２００を選択する。従って、確実にＩＰ電話端末８２の通話を確立することができる。
【００３８】
なお、ＩＰ電話端末８２が外部の電話端末と通話する場合の処理も、図６及び図７を用いて説明した処理と同様である。ただしこの場合、発信元のＩＰ電話端末８２は、外部の電話端末と通信する旨の情報をあらかじめ分散制御装置１００に送信した後、発信先の電話番号を送信する。分散制御装置１００のアドレス読出部１６０は、外部の電話端末と通話するときに用いられるＩＰアドレスを、発信先のＩＰアドレスとして認識し、このＩＰアドレスを、選択した音声パケット中継装置２００に送信する。そして音声パケットは、分散制御装置１００が選択した音声パケット中継装置２００、及びこの音声パケット中継装置２００と同一の拠点内ＩＰ通信網８０に属するゲートウェイ８６を介して送受信される。
【００３９】
この場合においても、音声パケットは、データセンタ内通信網３０を経由しないため、接続用通信網２０とデータセンタ内通信網３０を接続する通信回線２１のトラフィックを増大させない。
【００４０】
なお、図２に示した分散制御装置１００の各構成要素、及び図５に示した音声パケット中継装置２００の各構成要素は、ハードウエア単位の構成ではなく、機能単位のブロックを示している。分散制御装置１００及び音声パケット中継装置２００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。
【００４１】
以上、本実施形態によれば、音声パケットを中継する音声パケット中継装置２００と、ＩＰ電話による通話を管理する分散制御装置１００を相互に分離し、音声パケット中継装置２００を複数の拠点内ＩＰ通信網８０それぞれ内に設けている。このため、ＩＰ電話端末８２が送受信する音声パケットは、接続用通信網２０とデータセンタ内通信網３０を接続する通信回線２１を通らない。従って、通信回線２１のトラフィックが増大することを抑制できる。
【００４２】
また、拠点内ＩＰ通信網８０それぞれに、当該拠点内ＩＰ通信網８０と公衆ＩＰ通信網６０を接続するゲートウェイ８６を設けたため、ＩＰ電話端末８２が外部の電話端末と通話するときも、ＩＰ電話端末８２が送受信する音声パケットは通信回線２１を通らない。従って、通信回線２１のトラフィックが増大することを抑制できる。
【００４３】
また、分散制御装置１００は、発信元となるＩＰ電話端末８２及び発信先となるＩＰ電話端末８２のいずれかと同一の拠点内ＩＰ通信網８０に属する音声パケット中継装置２００を優先して選択する。このため、接続用通信網２０のトラフィックが増大することを抑制できる。また、これら２つの音声パケット中継装置２００の空回線数が０である場合、他の音声パケット中継装置２００を選択する。従って、確実にＩＰ電話端末８２の通話を確立することができる。
【００４４】
以上、図面を参照して本発明の実施形態について述べたが、これらは本発明の例示であり、上記以外の様々な構成を採用することもできる。上記した実施形態によれば、以下の発明が開示されている。
（付記１）
複数の拠点それぞれに形成され、それぞれがＩＰ電話端末を有する拠点内ＩＰ通信網と、
前記複数の拠点内ＩＰ通信網を相互に接続する接続用通信網と、
前記複数の拠点内ＩＰ通信網それぞれの中に設けられ、前記ＩＰ電話端末が送受信する音声パケットを中継する音声パケット中継装置と、
前記ＩＰ電話端末が送受信する音声パケットをいずれの前記音声パケット中継装置が中継するか選択する分散制御装置と、
を備える通話システム。
（付記２）
付記１に記載の通話システムにおいて、
前記複数の音声パケット中継装置それぞれは、当該音声パケット中継装置の音声パケット中継能力の余力を示す余力情報を前記分散制御装置に送信し、
前記分散制御装置は、音声パケットを中継する前記音声パケット中継装置として、受信した前記余力情報が余力があることを示している前記音声パケット中継装置を選択する通話システム。
（付記３）
付記２に記載の通話システムにおいて、
前記分散制御装置は、音声パケットを中継する前記音声パケット中継装置として、当該音声パケットを送受信する前記ＩＰ電話端末と同一の前記拠点内ＩＰ通信網に設けられた前記音声パケット中継装置を優先して選択する通話システム。
（付記４）
付記３に記載の通話システムにおいて、
前記分散制御装置は、音声パケットを送受信する前記ＩＰ電話端末と同一の前記拠点内ＩＰ通信網に設けられた前記音声パケット中継装置の前記余力情報が、当該音声パケット中継装置の余力がないことを示しているとき、音声パケットを中継する前記音声パケット中継装置として、他の前記拠点内ＩＰ通信網内の前記音声パケット中継装置を選択する通話システム。
（付記５）
付記１〜４のいずれか一つに記載の通話システムにおいて、
前記複数の拠点内ＩＰ通信網それぞれに設けられ、当該拠点内ＩＰ通信網と公衆通信網を接続するゲートウェイをさらに備える通話システム。
（付記６）
ＩＰ電話端末が送受信する音声パケットを中継する複数の音声パケット中継装置を制御する分散制御装置であって、
複数の拠点それぞれに形成された拠点内ＩＰ通信網それぞれの中に前記音声パケット中継装置は位置しており、
前記複数の拠点内ＩＰ通信網は、接続用通信網を介して相互に接続しており、
前記ＩＰ電話端末は、いずれかの前記拠点内ＩＰ通信網の中に位置しており、
前記複数の音声パケット中継装置に接続し、前記ＩＰ電話端末が送受信する音声パケットをいずれの前記音声パケット中継装置が中継するか選択する制御部を備える分散制御装置。
（付記７）
複数の拠点それぞれに形成された拠点内ＩＰ通信網それぞれの中に設けられ、いずれかの前記拠点内ＩＰ通信網内のＩＰ電話端末が送受信する音声パケットを中継する音声パケット中継装置であって、
当該音声パケット中継装置を制御する分散制御装置に、当該音声パケット中継装置の音声パケット中継能力の余力を示す余力情報を、通信網を介して送信する余力情報送信部と、
通信網を介して前記分散制御装置から受信する指示情報に従って、前記ＩＰ電話端末が送受信する音声パケットを中継する中継処理部と、
を備える音声パケット中継装置。
（付記８）
ＩＰ電話端末が送受信する音声パケットを中継する音声パケット中継方法であって、
複数の拠点それぞれに形成された拠点内ＩＰ通信網のいずれかの中に、前記ＩＰ電話端末は位置しており、
前記複数の拠点内ＩＰ通信網は、相互に接続しており、
前記複数の拠点内ＩＰ通信網それぞれに、前記ＩＰ電話端末が送受信する音声パケットを中継する音声パケット中継装置を設け、
前記複数の音声パケット中継装置に接続可能な分散制御装置が、前記ＩＰ電話端末が送受信する音声パケットをいずれの前記音声パケット中継装置が中継するか選択し、
前記音声パケット中継装置が、前記分散制御装置から受信する指示情報に従って前記ＩＰ電話端末が送受信する音声パケットを中継する音声パケット中継方法。
（付記９）
ＩＰ電話端末が送受信する音声パケットを中継する音声パケット中継方法であって、
複数の拠点それぞれに形成された拠点内ＩＰ通信網のいずれかの中に、前記ＩＰ電話端末は位置しており、
前記複数の拠点内ＩＰ通信網は、相互に接続しており、
前記複数の拠点内ＩＰ通信網それぞれに、前記ＩＰ電話端末が送受信する音声パケットを中継する音声パケット中継装置を設け、
前記音声パケット中継装置が、当該音声パケット中継装置を制御する分散制御装置に、当該音声パケット中継装置の音声パケット中継能力の余力を示す余力情報を、通信網を介して送信し、
前記音声パケット中継装置が、通信網を介して前記分散制御装置から受信する指示情報に従って、前記ＩＰ電話端末が送受信する音声パケットを中継する音声パケット中継方法。
（付記１０）
複数の拠点それぞれに形成された拠点内ＩＰ通信網それぞれの中に設けられ、いずれかの前記拠点内ＩＰ通信網内のＩＰ電話端末が送受信する音声パケットを中継する音声パケット中継装置を制御する音声パケット中継装置の制御方法であって、
分散制御装置が、前記複数の音声パケット中継装置それぞれから、当該音声パケット中継装置の音声パケット中継能力の余力を示す余力情報を、通信網を介して受信し、
前記分散制御装置が、前記音声パケット中継装置それぞれの前記余力情報に基づいて、いずれの前記音声パケット中継装置が前記ＩＰ電話端末が送受信する音声パケットを中継するかを選択し、選択した前記音声パケット中継装置に指示情報を送信する音声パケット中継装置の制御方法。
（付記１１）
コンピュータを、ＩＰ電話端末が送受信する音声パケットを中継する複数の音声パケット中継装置を制御する分散制御装置として機能させるためのプログラムであって、
前記ＩＰ電話端末は、複数の拠点それぞれに形成された拠点内ＩＰ通信網のいずれかの中に位置しており、
前記複数の音声パケット中継装置は、前記複数の拠点内ＩＰ通信網それぞれごとに設けられており、
いずれの前記音声パケット中継装置が、前記ＩＰ電話端末が送受信する音声パケットを中継するかを選択する処理と、
選択した前記音声パケット中継装置に指示情報を送信する処理と、
をコンピュータに実行させるプログラム。
（付記１２）
コンピュータを、ＩＰ電話端末が送受信する音声パケットを中継する音声パケット中継装置として機能させるためのプログラムであって、
当該音声パケット中継装置を制御する分散制御装置に、当該音声パケット中継装置の音声パケット中継能力の余力を示す余力情報を、通信網を介して送信する処理と、
通信網を介して前記分散制御装置から受信する指示情報に従って、前記ＩＰ電話端末が送受信する音声パケットを中継する処理と、
をコンピュータに実行させるプログラム。
【図面の簡単な説明】
【００４５】
【図１】実施の形態における通話システムの構成を示すブロック図である。
【図２】分散制御装置の機能構成を示すブロック図である。
【図３】余力情報記憶部が記憶しているデータの構成を示すテーブルである。
【図４】アドレス記憶部が記憶しているデータの構成を示すテーブルである。
【図５】音声パケット中継装置の機能構成を示すブロック図である。
【図６】分散制御装置及び音声パケット中継装置が行う処理を説明するフローチャートである。
【図７】図６における音声パケット中継装置の選択処理（Ｓ６０）の詳細を説明するフローチャートである。
【符号の説明】
【００４６】
２０ 接続用通信網
２１ 通信回線
２２ 通信回線
３０ データセンタ内通信網
４０ ルータ
６０ 公衆ＩＰ通信網
６２ 携帯通信網
６４ 携帯通信端末
８０ 拠点内ＩＰ通信網
８２ ＩＰ電話端末
８４ コンピュータ
８６ ゲートウェイ
１００ 分散制御装置
１２０ 余力情報処理部
１３０ 余力情報記憶部
１４０ アドレス記憶部
１６０ アドレス読出部
１８０ 制御部
２００ 音声パケット中継装置
２２０ 中継処理部
２４０ 制御部
【図１】
0005019227.tif 000002
【図２】
0005019227.tif 000003
【図３】
0005019227.tif 000004
【図４】
0005019227.tif 000005
【図５】
0005019227.tif 000006
【図６】
0005019227.tif 000007
【図７】
0005019227.tif 000008